(57)【要約】【課題】無線通信機能以外の機能の利用により電源電池が消耗しても、無線通信機能の使用不能状態を避けることが可能な携帯端末を提供する。【解決手段】２つの電源電池５，６により動作する携帯端末であって、携帯端末の無線通信機能を制御する制御機能ブロック２及び通信機能ブロック３と、無線通信機能以外の携帯端末のオフラインで動作するアプリケーション機能を制御するアプリケーション機能ブロック４とを備え、電源電池５が制御機能ブロック２及び通信機能ブロック３に電源を供給し、電源電池６がアプリケーション機能ブロック４に電源を供給する。【選択図】  図１
2004159091.tif 000002
【特許請求の範囲】
【請求項１】
無線通信機能を有する携帯端末であって、
前記無線通信機能を制御する無線通信機能ブロックと、
前記無線通信機能以外の、オフラインで動作するオフライン動作ブロックと、
複数の電源電池とを備え、
前記複数の電源電池の各々が、前記無線通信機能ブロック及び前記オフライン動作ブロックに対して独立に電源を供給する携帯端末。
【請求項２】
請求項１記載の携帯端末であって、
前記複数の電源電池の各々の電源供給先を切り替える切り替え手段を備える携帯端末。
【請求項３】
請求項２記載の携帯端末であって、
前記複数の電源電池の各々の電源電圧を検出する電源電圧検出手段を備え、
前記切り替え手段は、前記電源電圧検出手段によって検出される電源電圧値に基づいて、前記複数の電源電池の電源供給先を切り替える携帯端末。
【請求項４】
請求項３記載の携帯端末であって、
前記無線通信機能ブロック及び前記オフライン動作ブロックのうち優先的に使用するブロックを設定する設定手段と、
前記設定手段によって設定されたブロックを動作させる為に必要な電源電圧値を設定する電源電圧値設定手段とを備え、
前記切り替え手段は、前記設定手段によって設定されたブロックに供給される電源電圧値が、前記電源電圧値設定手段によって設定されている電源電圧値よりも高くなるように、前記複数の電源電池の電源供給先を切り替える携帯端末。
【請求項５】
請求項２〜４のいずれか記載の携帯端末であって、
前記切り替え手段による前記電源供給先の切り替え動作を、手動により可能とした携帯端末。
【発明の詳細な説明】
【０００１】
【発明の属する技術分野】
本発明は、無線通信機能を備えた携帯端末に関する。
【０００２】
【従来の技術】
従来から、２つの電源電池を備えた携帯端末が提案されている。この携帯端末の例としては、無線通信回路に電源を供給している主電源電池の電圧があるレベル以下になると、電圧検出回路が切り替えスイッチに信号を与え、切り替えスイッチが、この信号に基づいて主電源電池から副電源電池に切り替えて無線通信回路に電源を供給するように構成したものがある（例えば、特許文献１参照）。
【０００３】
更に、無線部に一方の電源電池から電源を供給し、その他の制御部には他方の電源電池から電源を供給するように構成されたものもある（例えば、特許文献２参照）。
【０００４】
【特許文献１】
特開平６−２９８９８号公報
【０００５】
【特許文献２】
特開平７−２８３７７５号公報
【０００６】
【発明が解決しようとする課題】
近年の携帯電話機は、電子メールの送受信や音声通話などの無線通信機能のみならず、ゲーム、デジタルカメラ、及び音楽再生プレーヤ等として様々な使用形態で利用されるようになってきている。このため、ユーザは、携帯電話機本来の機能である無線通信機能よりも、デジタルカメラやゲームなどの機能を多用する傾向にある。したがって、近年の携帯電話機では、デジタルカメラやゲームなどの機能を多用して電源を多く消費してしまうことで、携帯電話機本来の機能である無線通信機能を維持させることができないという問題点があった。
【０００７】
そこで、この問題点を解決するために、従来のような２つの電源電池を備えた携帯端末が好適であるが、特許文献１に記載の携帯端末では、２つの電池が同時に携帯端末に電源を供給するわけではないため、単に携帯端末の動作時間を延ばすことしかできず、２つの電源電池をデジタルカメラやゲームなどの機能に用いて放電させてしまった場合、無線通信機能を維持させることはできない。
【０００８】
また、特許文献２に記載の携帯電話機は、無線部とそれ以外の制御部とに別々の電源電池により電源供給しているが、ここで言う制御部とは、携帯電話機一般の機能を制御するもののことであり、近年のようなデジタルカメラ機能、音楽再生機能、及びゲーム機能などの無線通信とは関係のない機能を制御するもののことは想定していない。
【０００９】
本発明は上記問題点を解決するためのものであり、無線通信機能以外の機能の利用により電源電池が消耗しても、無線通信機能の使用不能状態を避けることが可能な携帯端末を提供することを目的とする。
【００１０】
【課題を解決するための手段】
本発明の携帯端末は、無線通信機能を有する携帯端末であって、前記無線通信機能を制御する無線通信機能ブロックと、前記無線通信機能以外の、オフラインで動作するオフライン動作ブロックと、複数の電源電池とを備え、前記複数の電源電池の各々が、前記無線通信機能ブロック及び前記オフライン動作ブロックに対して独立に電源を供給する。
【００１１】
この構成により、オフライン動作ブロックが電源を消耗して動作不能となった場合でも、無線通信機能ブロックを動作させることが可能になる。したがって、電源電池の消耗による無線通信機能の使用不能状態を避けることが可能な携帯端末を提供することができる。
【００１２】
また、本発明の携帯端末は、前記複数の電源電池の電源供給先を切り替える切り替え手段を備える。
【００１３】
この構成により、各ブロックの使用状態によって電源供給先を切り替えることができる為、無線通信機能を長く使いたい場合などには、オフライン動作ブロックに電源を供給している電源電池を、無線通信機能ブロックに電源を供給するように切り替えることで、無線通信機能を長く動作させることができる。
【００１４】
また、本発明の携帯端末は、前記複数の電源電池の各々の電源電圧を検出する電源電圧検出手段を備え、前記切り替え手段は、前記電源電圧検出手段によって検出される電源電圧値に基づいて、前記複数の電源電池の電源供給先を切り替える。
【００１５】
この構成により、利用上の優先度の高いブロックに対して、電源電圧値の高い電源電池から電源供給させるように切り替えたり、そのブロックに供給される電源電圧値の合計が高くなるように各電源電池の電源供給先を切り替えたりすることで、必要なブロックのみを動作させておくといった柔軟な対処が可能となる。
【００１６】
また、本発明の携帯端末は、前記無線通信機能ブロック及び前記オフライン動作ブロックのうち優先的に使用するブロックを設定する設定手段と、前記設定手段によって設定されたブロックを動作させる為に必要な電源電圧値を設定する電源電圧値設定手段とを備え、前記切り替え手段は、前記設定手段によって設定されたブロックに供給される電源電圧値が、前記電源電圧値設定手段によって設定されている電源電圧値よりも高くなるように、前記複数の電源電池の電源供給先を切り替える。
【００１７】
この構成により、優先的に使用するブロックを他のブロックよりも長い時間動作させることができる。又、長時間動作させるブロックは、ユーザによって設定可能である為、ユーザ毎の要望に合わせることができる。
【００１８】
また、本発明の携帯端末は、前記切り替え手段による前記電源供給先の切り替え動作を、手動により可能とした。
【００１９】
この構成により、各電源電池の電源供給先をユーザが任意に切り替えることができる。
【００２０】
【発明の実施の形態】
（第一実施形態）
図１は、本発明の第一実施形態に係る携帯電話機の構成を示すブロック図である。第一実施形態に係る携帯電話機は、電源電池５及び電源電池６を備えた電池パック１と、制御部７、キースイッチ８、報知手段としての表示装置９、報知手段としてのブザー１０、及びメモリ１１とを備えた制御機能ブロック２と、無線部１２及び伝送部１３を備えた通信機能ブロック３と、カメラ機能、画像再生機能、音楽再生機能、及びゲーム機能等を制御するアプリケーション部１４を備えたアプリケーション機能ブロック４とを有する。
【００２１】
尚、制御機能ブロック２及び通信機能ブロック３は、特許請求の範囲の無線通信機能ブロックに該当し、電話をかけたり、電子メールの送受信をしたりするために必要なモジュール（無線部、伝送部、制御部、表示装置、キースイッチ、ブザー、メモリなど）を制御するブロックである。
【００２２】
また、制御機能ブロック２及びアプリケーション機能ブロック４は、特許請求の範囲のオフライン動作ブロックに該当し、無線通信以外のオフラインで動作する機能（カメラ機能、画像再生機能、音楽再生機能、及びゲーム機能など）に必要なモジュール（アプリケーション部、キースイッチ、表示装置、制御部、メモリなど）を制御するブロックである。
【００２３】
電源電池５及び電源電池６の各々には、これらから出力される電源電圧値をモニタする電圧検出部１５が接続されている。制御機能ブロック２、通信機能ブロック３、及びアプリケーション機能ブロック４の各々と、電源電池５及び電源電池６の各々との間には、各機能ブロックのうちのどの機能ブロックに電源を供給するかを切り替える切り替えスイッチ１７、１８、１９を備えた電源切り替え部１６が接続されている。
【００２４】
次に、第一実施形態に係る携帯電話機の動作について説明する。
図１に示した電源切り替え部１６の接続状態では、制御機能ブロック２及び通信機能ブロック３が電源電池５に接続され、アプリケーション機能ブロック４が電源電池６に接続されている。このような構成により、制御機能ブロック２及び通信機能ブロック３は電源電池５からの電源供給により動作し、アプリケーション機能ブロック４は電源電池６からの電源供給により動作する。
【００２５】
ここで、例えば、アプリケーション機能ブロック４が長時間動作したことで電源電池６が消耗し、アプリケーション機能ブロック４が動作不能や動作不安定になった場合でも、制御機能ブロック２及び通信機能ブロック３は電源電池５からの電源供給により継続して動作する。
【００２６】
尚、図１では、アプリケーション機能ブロック４とその他の機能ブロック２、３とを独立して動作させているが、制御機能ブロック２とアプリケーション機能ブロック４を電源電池６に接続し、通信機能ブロック３を電源電池５に接続するようにしてもよい。この場合、通信機能ブロック３が長時間動作し、電源電池５が消耗して通信機能ブロック３が動作しなくなっても、電源電池６に接続されているアプリケーション機能ブロック４は継続して動作する。
【００２７】
以上のように、本実施形態に係る携帯電話機によれば、制御機能ブロック２及び通信機能ブロック３を電源電池５からの電源供給によって動作させ、アプリケーション機能ブロック４を電源電池６からの電源供給によって動作させる構成としている。この為、携帯電話機の使用者が音楽再生やゲーム等を長時間行うことにより、アプリケーション機能ブロック４が動作不能となっても、携帯電話機本来の機能を実現する通信機能ブロック３は電源電池５によって動作させることができる。
【００２８】
（第二実施形態）
第二実施形態に係る携帯電話機は、電源電池５及び電源電池６の電源電圧レベルにより、携帯端末の使用者が手動で電源切り替え部１６を操作して、各機能ブロックに各電源電池を切り替え接続し、それぞれの機能ブロックを動作させるように構成されている。
【００２９】
第二実施形態に係る携帯電話機の動作について説明する。
まず、各機能ブロック２、３、４の動作に最低限必要となる電源電池５又は電源電池６からの電源電圧レベル値（以下、Ｖ１とする）を、ユーザが制御部７に対して予め設定しておく。この状態で、例えば図１において、電圧検出部１５によりモニタされている電源電池５の電源電圧レベルが、上記設定された電源電圧レベルＶ１以下になると、制御部７の制御によりブザー１０や表示装置９が動作する。これによって使用者に電源電池５の電圧レベルが設定値のＶ１値以下になったことを報知する。
【００３０】
この報知により、携帯電話機の使用者は必要に応じてスイッチ手段１７、１８、１９の切り替え操作を行う。例えばスイッチ手段１７とスイッチ手段１８を操作し、制御機能ブロック２及び通信機能ブロック３を電源電池６に接続し、同時にスイッチ手段１９を操作し、アプリケーション機能ブロック４を電源電池５に接続する。この場合、電源電池６の電池容量が電源電池５の電池容量と比較して多いときは、通信機能をより長い時間にわたり動作させることができる。
【００３１】
このように、第二実施形態に係る携帯電話機によれば、電源電池５、６と各機能ブロック２、３、４との接続切り替えを、使用者が手動で行うことにより、使用者が必要としている機能の使用時間を長くしたり、短くしたりすることができる。
【００３２】
（第三実施形態）
第二実施形態では、携帯端末の使用者が、手動で各機能ブロック２、３、４と電源電池５及び電源電池６との接続状態を切り替え可能な構成としたが、第三実施形態では、優先的に使用する機能ブロックをユーザが設定し、この機能ブロックに接続されている電源電池の電源電圧が、予め設定された規定値レベルより下がった場合に、もう一方の機能ブロックに接続された電源電池に自動的に切り替えるように構成されている。
【００３３】
第三実施形態に係る携帯電話機の動作について説明する。
まず、使用者が優先的に使用する機能ブロックと、その機能ブロックに供給される電源電圧の規定値レベル（機能ブロックが動作するのに最低限必要な電圧値）を予め設定しておく。例えば、図１において、通信機能ブロック３を優先的に使用する機能ブロックに設定した場合、電圧検出部１５によりモニタされている電源電池５の電源電圧が規定値レベル以下になると、制御部７は、電源電池６の電源電圧レベルが規定値レベル以上であることを確認した後に、ブザー１０や表示装置９によって、電源電池５の電源電圧が規定値レベル以下になったことを使用者に知らせる。
【００３４】
又、これらの動作とともに、制御部７からの信号によってスイッチ手段１７とスイッチ手段１８が動作し、制御機能ブロック２及び通信機能ブロック３が電源電池６に自動的に切り替え接続される。同時にスイッチ手段１９が動作し、アプリケーション機能ブロック４が電源電池５に自動的に切り替え接続される。
【００３５】
このように、第三実施形態によれば、優先的に使用したい機能ブロックを、残存容量のより多い電源電池に自動的に切り替え接続したり、優先的に使用したい機能ブロックに供給される電源電圧値が規定値レベル以上になるように電源電池の接続を切り替えたりすることで、使用者が優先的に利用したい機能を長時間利用することができる。
【００３６】
尚、第三実施形態では、アプリケーション機能ブロック４と通信機能ブロック３とに分けて、これらに電源電池５、６を選択的に繋ぎ替える場合を述べたが、メモリ１１の読出し部を含む制御機能ブロック２とその他の機能ブロック３、４とに分け、これらに電源電池５、６を選択的に繋ぎ替えても良い。
【００３７】
この場合は、メモリ１１の読出し動作が可能な電源電池の電源電圧レベルをユーザが予め設定しておき、例えば図１において、電源電池６が完全に消費されてアプリケーション機能ブロック４が動作せず、制御機能ブロック２と通信機能ブロック３が動作している場合に、電圧検出部１５によりモニタされている電源電池５の電源電圧レベルが、上記設定されたメモリ読出し電圧レベル以下となったときに、ブザー１０や表示装置９によって使用者に電源電池５が規定値レベル以下になったことを使用者に知らせる。
【００３８】
これとともに、制御部７からの信号によって、スイッチ手段１７が動作して、通信機能ブロック３が電源電池６に接続され、制御機能ブロック２だけが電源電池５からの電源供給によって動作する状態となる。
【００３９】
このように、一方の電源電池が完全に消費され、もう一方の電源電池の容量が少なくなった場合に、メモリ１１の読出し機能を含む制御機能ブロック２だけを動作させることによって、電話番号等の情報をメモリ１１から引き出すことができる。
【００４０】
【発明の効果】
本発明によれば、無線通信機能以外の機能の利用により電源電池が消耗しても、無線通信機能の使用不能状態を避けることが可能な携帯端末を提供することができる。
【図面の簡単な説明】
【図１】本発明の第一実施形態に係る携帯端末の構成を示すブロック図である。
【符号の説明】
１  電池パック
２  制御機能ブロック
３  通信機能ブロック
４  アプリケーション機能ブロック
５、６  電源電池
７  制御部
８  キースイッチ
９  表示装置
１０  ブザー
１１  メモリ
１２  無線部
１３  伝送部
１４  アプリケーション部
１５  電圧検出部
１６  電源切り替え部
１７、１８、１９  スイッチ手段
【図１】
2004159091.tif 000003